(57)【要約】【課題】  製産効率の向上、製作依頼者の目前での完成による製作過程の透明性の実現、樹脂の変色劣化の改善、メモリアル意識の強い毛や骨をより美しく、永く残すことを必要とする。製作行程の時間短縮と製作依頼者に安心感を与えるシステムの構築、生々しさや劣化を免れなかった人々の繋がりやペットとの繋がりを強める象徴である毛や遺骨の保存を容易かつ簡便にイメージ良く、劣化を防ぐ事が出来、毛や遺骨の存在が目視によって確認できる装身具の提供を目的とする。【解決手段】  光硬化型化学合成樹脂と光照射装置により数分での硬化が実現するため、製作依頼者の時間的負担が少なく目前で完成させる事ができるので製作過程の透明性があることで信頼性や品質が大きく改善する。上記技術を使用し様々な貴金属、宝石とで組成された人工的に毛や遺骨の密封埋封保存をしたメモリアル装身具。【選択図】    図５
2006255367.tif 000002
【特許請求の範囲】
【請求項１】
光硬化型化学合成樹脂と光照射装置により人工的に人の毛髪や骨を密封埋封保存したメモリアル装身具。
【請求項２】
光硬化型化学合成樹脂と光照射装置により人工的にペットなどの獣毛や骨を密封埋封保存したメモリアル装身具。
【請求項３】
光硬化型化学合成樹脂と光照射装置により人工的に密封埋封保存した毛や骨などのＤＮＡを使用し貴金属や金属、宝石、宝飾品、ガラス等を組み合わせたアクセサリーなどの装身具及び装飾品として加工すること。
【発明の詳細な説明】
【発明の詳細な説明】
【技術分野】
【０００１】  本発明は、人やペットのＤＮＡ（毛や骨など）をメモリアルとして残す習慣に関して人工的に毛や骨の密封埋封保存をした装身具。
【背景技術】
【０００２】  従来、人の毛髪や遺髪、遺骨、最近ではペットなどメモリアル意識が強い毛や骨は箱やお守り袋などに入れそのまま保存しており、見た目の生々しさや湿気や気温、外気に触れることで劣化を免れなかった。
２液性アクリル樹脂や２液性エポキシ樹脂による封入は、硬化までに２４時間以上かかり製産効率が悪かったうえに、樹脂性質の経年による変色、劣化を引き起こしていた。そのため製作依頼者の製作過程を見届ける事のできない不安や従来の樹脂による経年劣化変色で品質をそこなっていた。
【発明の開示】
【発明が解決しようとする課題】
【０００３】製産効率の向上、製作依頼者の目前での完成による製作過程の透明性の実現、樹脂の経年劣化変色での品質の改善、品質向上に伴いメモリアル意識の強い毛や骨を安心してより美しく、永く残すことを必要とする。【０００４】  ところで、このような毛や骨の保存方法としては、従来より以下のような方法が用いられている。
▲１▼和紙などで包み桐箱などに入れ保存する方法。
▲２▼お守り袋の中や衣服の布と布の間に入れ携帯する方法。
▲３▼遺骨は骨つぼに納められ保存されている。
▲４▼指輪やブローチなどの装身具にして残す方法。毛髪を保存した装身具に関しては、１７世紀〜１９世紀にヨーロッパにおいて多数作られていた。それは貴金属で作られた土台の上に毛髪を置きその上にガラス等を被せ固定して保存しているモノや空洞になった貴金属の中に入れている。毛が入っているのが見えるように装飾的なデザインが窓状にされている。（「指輪  古代エジプトから２０世紀まで」東京都庭園美術館監修  淡交社  ２０００年）
▲５▼２液性エポキシ系樹脂やアクリル系樹脂を用い密封埋封した技術。【０００５】  ここで、上記▲１▼、▲２▼、▲３▼、▲４▼すべての方法に通ずる事であるが、特に▲１▼、▲２▼は毛の保存状態は見た目を生々しくするためイメージが悪くなる。それに加え湿気や気温、外気に触れ易く、このことで毛の劣化を免れなかった。▲３▼は装身具とは異なる形でした。▲４▼に関してもイメージの悪さは少々軽減されるが生々しさは変わらず、毛髪の劣化も免れなかった。その結果、現存している数が少ない。
▲５▼に関しては、硬化時間が長時間にのぼるため、量産の効率化が悪く、制作依頼者の目前での製作完成ができなかったため製作過程の不安を払拭しきれなかった。エポキシ系樹脂、アクリル系樹脂に関しては、樹脂自体の経年劣化や変色があった。【０００６】  本発明は、上記従来の現状に鑑みなされたものであって、より具体的に安心感を与え人々の繋がりやペットとの繋がりを強める象徴である毛や骨を保存した装身具を容易かつ簡便にイメージよく実現できる人工的に密封埋封保存をすること、その上、毛や骨の存在が目視によって確認できる装身具の提供。製産効率をあげると共に、製作依頼者の目前で密封埋封保存を完成させる事で製作過程の透明性と信頼性をより向上させ、密封埋封素材自体の向上による安心感を与える事を目的とする。
【発明が解決しようとする手段】
【０００７】  前述した目的を達成するためには、人の毛や骨やペットなどの獣毛や骨を透明な光硬化型合成樹脂（セラミック）と特殊な光（強力な紫外線など）を照射する装置によって密封埋封保存を可能にしたものである。また、セラミックには透明性のある色をつけることも出来る、そのため毛や骨の生々しさやイメージの悪さを大きく軽減できる。
光硬化型化学合成樹脂と光照射装置によって硬化時間が５分〜２０分で完了するため大幅に製作時間が短縮出来るようになった。
【０００８】  人工的に光硬化型化学合成樹脂で毛や骨の密封埋封保存をしたものは、２５０℃の高温にも耐えるので研摩や切削により、自由に変えることが出来様々な大きさや形を作り上げることができる。セラミックの表面に名前などを彫ることも可能である。
【０００９】  上記と同様に毛や骨と写真など一緒に密封埋封保存したものなどを使うことにより、個人のメモリアル意識がより一層高まるものと考えられる。
【００１０】  上記３つで述べたものを貴金属や金属、宝石、宝飾品、ガラス等との組み合わせによりアクセサリー、装身具及び装飾品として残すことで毛の生々しさ、イメージの悪さや保存状態、製作依頼者の目前で完成させる事ができるので製作過程の透明性があり、信頼性や樹脂自体の品質が大きく改善する。
【発明の効果】
【００１１】  以上説明したように本発明によれば、量産効率を飛躍的に伸ばし、製作依頼者の目前で短時間に製作完成する事ができるようになり、製作過程の透明性により、安心感を与える事ができる。長時間の拘束による負担や、精神的不安を取り除き依頼者側に親切な製作が可能となる。不透明になりがちな製作過程を長時間の負担をかけず見せることで透明性と信頼性が増し商品価値の大きな飛躍に繋がる。そのうえ、樹脂自体の経年劣化変色を改善できるためによりよい品質を提供出来る。そして人の繋がりや存在を強調する毛や骨を残す形として、以前は生々しさで敬遠されがちであった毛をより装飾的に加工することが大きく可能になり、生々しさを大きく軽減することになるので人々のメモリアル意識を増進させる事が出来るという顕著な効果が得られる。また本発明により人々の繋がりの稀薄意識を解消し密なものとする効果も得られる。
【発明を実施するための最良の形態】
【００１２】  本発明は、光硬化型化学合成樹脂と光照射装置を使用し毛や骨、写真などを入れ５〜１５分で硬化させます。硬化時間を短縮し効率的な量産が可能になります。製作依頼者の目前で製作完成する事ができるので、製作過程の透明性により、安心感を与える効果が期待できる。【００１３】  上記で毛や骨など密封埋封保存された固体物を使用し直接セラミックの表面に彫刻を施して単体として飾ることができる。【００１４】  指輪やブローチ、ペンダントなどの宝飾品にこの方法をかけ合わすことにより、より好ましいメモリアルジュエリーが誕生します。【００１５】    例えば図４のように、ガラス３の間に光硬化型化学合成樹脂２を流し込みその中に毛や骨１を埋封することで一体化し、毛や骨１の劣化を防ぎ生々しさも軽減できます。それを貴金属４や宝石５などの宝飾品と組み合わせればより美しく残すことが出来る。
【実施例】
【００１６】  毛や骨を密封埋封した指輪、ペンダントなどの製作。【００１７】  製作依頼者の目前（動画も含む）で毛や骨を密封埋封する指輪、ペンダントなどの製作。
【産業上の利用可能性】
【００１８】宝飾産業に新しいコンセプトの商品が供給出来る。【００１９】葬儀産業に新しいメモリアル商品が供給出来る。
【図面の簡単な説明】
【００２０】
【図１】    光硬化型化学合成樹脂で毛や骨を密封埋封した断面図。
【図２】    光硬化型化学合成樹脂で毛や骨を密封埋封した立体図。
【図３】    光硬化型化学合成樹脂埋封した毛や骨とクリスタルガラス、宝飾品を一体化したものの断面図
【図４】    光硬化型化学合成樹脂と毛や骨とガラス、宝飾品を一体化したものの立体図
【図５】    光硬化型化学合成樹脂と光照射装置により埋封した毛や骨とガラス、宝飾品を一体化したものの立体図
【符号の説明】
【００２１】  １  毛や骨
２  光硬化型化学合成樹脂
３  ガラス
４  貴金属または金属
５  宝石
６  光照射装置
【図１】
2006255367.tif 000003
【図２】
2006255367.tif 000004
【図３】
2006255367.tif 000005
【図４】
2006255367.tif 000006
【図５】
2006255367.tif 000007